(57)【要約】      （修正有）【課題】容器内の各種食材を容器側方からも視認可能にして顧客に対する訴求力を高め、食材を盛り付けたままで長期にわたる保存を可能にする食品包装容器を提供する。【解決手段】上部を開口してある容器本体１と、容器本体１の開口縁に貼着する蓋シール部材１０とから成る。容器本体１の開口縁における最頂部分に設けた最頂部縁５から、同じく容器本体１の開口縁における最低部分に設けた最低部縁６に至るまで連続して次第に低く傾斜した傾斜部縁７を形成し、蓋シール部材１０によって、最頂部縁５部位では積み重ね時の上位の容器本体１を支持する支持面を、傾斜部縁７部位では容器本体１内部を外方から視認させる窓部面をそれぞれ形成する。最頂部縁５、最低部縁６、傾斜部縁７それぞれは適宜幅員のフランジ状に形成し、最頂部縁５の補強片８を最低部縁６に連続して形成する。【選択図】図１
0003171979.tif 000002
【実用新案登録請求の範囲】
【請求項１】
上部が開口されている容器本体と、この容器本体の開口縁に貼着されることで容器本体を閉塞する蓋シール部材とから成る食品包装容器において、容器本体の開口縁における最頂部分に設けられた最頂部縁から、同じく容器本体の開口縁における最低部分に設けられた最低部縁に至るまで連続して次第に低く傾斜した傾斜部縁を形成し、最頂部縁、最低部縁、傾斜部縁に貼着した蓋シール部材によって、最頂部縁部位では積み重ね時の上位の容器本体を支持する支持面を、傾斜部縁部位では容器本体内部を外方から視認させる窓部面をそれぞれ形成していることを特徴とする食品包装容器。
【請求項２】
容器本体は平面で矩形状を呈し、最頂部縁、最低部縁それぞれは対向した位置で対状に配置形成されていて、最頂部縁に連続させて形成した傾斜部縁を最低部縁の端部に連続して形成してある請求項１に記載の食品包装容器。
【請求項３】
最頂部縁、最低部縁、傾斜部縁それぞれは適宜幅員のフランジ状に形成してある請求項１または２に記載の食品包装容器。
【請求項４】
最頂部縁の辺縁から補強片を垂れ下がり状に延設し、この補強片の下縁を最低部縁の下縁に連続して形成してある請求項１乃至３のいずれかに記載の食品包装容器。
【請求項５】
補強片には複数の補強溝を適宜間隔で配列形成してある請求項４に記載の食品包装容器。
【考案の詳細な説明】
【技術分野】
【０００１】
この考案は、例えばスーパーマーケット、コンビニエンスストア等で販売される各種惣菜、弁当その他の食品を外部とは密閉状態で封入収納すると共に、例えば多段的に積み重ねて陳例しても、収納した容器内部の食品等を容易に外観できることで購買意欲を喚起し、醸成できるようにした食品包装容器に関する。
【背景技術】
【０００２】
従来から、スーパーマーケット、コンビニエンスストア等で販売される各種惣菜、弁当その他の各種の調理済み食品等は、その多くは蓋付きの合成樹脂製容器内に収納され、多段的に積み重ねられて陳列販売されている。また、これらの調理済み食品は消費期限が定められているから、例えばコンビニエンスストア等に供給配達する惣菜メーカーにおいては、消費期限（時間）を考慮した鮮度保持等のために、例えば１日に２・３回程度に分けて店舗等に配達しているのが現状である。
【０００３】
このように１日間で複数回にわたった配達、陳列作業を実施すると、その物流経費が嵩むことになり、それが販売価格にも影響する一方、販売価格の見直しが困難である場合には、物流経費の一層の節減が要請される。その方法の一例として、所定の防腐剤等の食品添加物の添加によってロングライフ化を図ることも考慮されているが、その添加による健康に及ぼす影響を無視できない場合もあり、好ましくはないとされる。また、食品容器の内外を完全に遮断するよう密封することも行われているが、容器本体に蓋を被せただけでは不十分である場合、蓋を被せた容器本体を更にポリエチレンフィルム等にて包むこともあり、そうすると開封使用後に廃棄物が多くなり、その処理が面倒である。
【０００４】
こうした点を解消すべく、容器本体の開口部縁に、開口部を覆うフィルム材製のシール材を内容物に密着させるようにして開口部縁に接着する、いわゆるトップシール式食品容器が提案されている。例えば特許文献１に示される食品容器の内蓋或いは外蓋の代わりにフィルムによる添付品及び副食物等の収納可能なトップシール包装であり、特許文献２に示される冷凍食品収納容器であり、特許文献３に示されるトップシールを必要とするリブ付き食品容器である。特許文献１に係るトップシール包装は、食品を収納した容器の開口部縁に二重構造のトップシールを接着し、このトップシールにおける一次フィルムと二次フィルムとの間に所定の添付品等を収納することで、添付品等を区分け収納するための内蓋、外蓋を省略できるとする。特許文献２に係る収納容器は、食品収納部のフランジ上面にトップシールを貼着して被覆するとき、フランジとトップシールとの間に非貼着部を設けることで、加熱時に上昇する蒸気圧力を外部に放散するとする。特許文献３に係るリブ付き食品容器は、トップシール用鍔の側面にリブを取りつけることで、平面強度を立面応力で補強し、変形防止に効果があるとする。
【先行技術文献】
【特許文献】
【０００５】
【特許文献１】登録実用新案第３０８２３００号公報
【特許文献２】特開２００３−５４６４４号公報
【特許文献３】登録実用新案第３１０２７１３号公報
【考案の概要】
【考案が解決しようとする課題】
【０００６】
上述したような従来のトップシール式容器によると、いずれも容器開口部縁は容器底部から同一高さとなるフランジ縁を有し、そのトップシール材は連続する平坦水平面上で貼着されている。そのため、封入後の食品容器を側方から見た場合、開口部縁まで容器側壁で覆われるから、容器自体が透明でない限り内容物を外部から視認することはできない。また、このように容器開口部縁をトップシール材にて被覆した場合には、収容内容物は容器内部に封入状態となるため、食品としてのボリューム感が乏しく、手作り感が欠け、開口部面全域が平坦であることと相俟ち、大量生産される個性に乏しい工業的製品のイメージを顧客に与える結果となっている。
【０００７】
そこでこの考案は上述したような従来存した諸事情に鑑み案出されたもので、その目的は容器内に収納した各種の食品類を容器側方からも視認可能にして顧客に対する訴求力を高めると共に、多段的に積み重ねて陳列しても上方から内容物を視認できるようにし、例えば唐揚げ等の不揃いで不規格食材であっても収納容易で、ボリューム感を印象づけられ、しかも長期にわたる保存も可能にした密封性ある食品包装容器を提供することにある。
【課題を解決するための手段】
【０００８】
上述した課題を解決するため、この考案にあっては、上部が開口されている容器本体１と、この容器本体１の開口縁に貼着されることで容器本体１を閉塞する蓋シール部材１０とから成る食品包装容器において、容器本体１の開口縁における最頂部分に設けられた最頂部縁５から、同じく容器本体１の開口縁における最低部分に設けられた最低部縁６に至るまで連続して次第に低く傾斜した傾斜部縁７を形成し、最頂部縁５、最低部縁６、傾斜部縁７に貼着した蓋シール部材１０によって、最頂部縁５部位では積み重ね時の上位の容器本体１を支持する支持面を、傾斜部縁７部位では容器本体１内部を外方から視認させる窓部面をそれぞれ形成していることを特徴とする。
容器本体１は平面で矩形状を呈し、最頂部縁５、最低部縁６それぞれは対向した位置で対状に配置形成されていて、最頂部縁５に連続させて形成した傾斜部縁７を最低部縁６の端部に連続していることで構成することができる。
最頂部縁５、最低部縁６、傾斜部縁７それぞれは適宜幅員のフランジ状に形成することができる。
最頂部縁５の辺縁から補強片８を垂れ下がり状に延設し、この補強片８の下縁を最低部縁６の下縁に連続して形成することができる。
補強片８には複数の補強溝９を適宜間隔で配列形成することができる。
【０００９】
以上のように構成されたこの考案に係る食品包装容器にあって、容器本体１内に収納された各種の食材Ｆは、容器本体１の開口部を覆って閉塞している蓋シール部材１０によって外部と遮断された密封状態となることで、長期にわたる保存を可能にさせ、また最頂部縁５による支持部面によって多段的に積み重ねさせ、傾斜部縁７部位による窓部面によって側方からでも容器本体１内部を視認させる。
蓋シール部材１０は、容器本体１の開口部面に貼着されることで、容器本体１内外を遮断させる密封性によって長期にわたって食材Ｆを保存、保管させ、保存剤その他の使用を不要にさせる。
容器本体１の開口縁における最頂部縁５部位では、開口部を覆う蓋シール部材１０に容器本体１の最頂部分位置で所定域大きさの平坦面を形成し、多段的に積み重ねるときの上位の容器本体１の支持部面を形成させる。
容器本体１の開口縁における傾斜部縁７部位では、蓋シール部材１０を傾斜状に保持させ、容器本体１の側方ないし上方から容器本体１内部を視認させ、また容器本体１内に収納した食材Ｆの盛り付け状態をそのまま外観させる。
最頂部縁５に垂れ下がり状に延設した補強片８の下縁に最低部縁６の下縁を連続してあり、容器本体１の開口部周囲を囲繞していることで、容器本体１を補強し、外力等によって容器本体１を歪形させない。
【考案の効果】
【００１０】
この考案は以上説明したように構成されているため、容器本体１内に収納した各種の食材Ｆ等を容器本体１の側方ないし上方のいずれからでも、しかも多段的に積み重ねて陳列しても内容物を視認可能にして顧客に対する食材Ｆの訴求力を高め、購買意欲を醸成、増進できる。また例えば唐揚げ等の不揃いで不規格食材であっても盛り付けした状態で収納容易で、ボリューム感を印象づけることができ、しかも密封性によって長期にわたる保存も可能にすることで、例えば商品の配送頻度を少なくでき、ひいては商品単価の低廉化に寄与できる。
【００１１】
すなわち、これはこの考案において、容器本体１と、この容器本体１の開口部を閉塞する蓋シール部材１０とから成り、容器本体１の開口縁における最頂部分に設けられた最頂部縁５から、同じく容器本体１の開口縁における最低部分に設けられた最低部縁６に至るまで連続して次第に低く傾斜した傾斜部縁７を形成し、最頂部縁５、最低部縁６、傾斜部縁７に貼着した蓋シール部材１０によって、最頂部縁５部位では積み重ね時の上位の容器本体１を支持する支持面を、傾斜部縁７部位では容器本体１内部を外方から視認させる窓部面をそれぞれ形成しているからである。これによって、容器本体１の密封性、容器本体１内に収納する食材Ｆの盛り付け、その盛り付け状態の容器本体１の側方ないし上方からの視認、多段的な安定した積み重ねによる陳列販売、顧客に対する訴求力向上等を図ることができる。
【００１２】
また、平面矩形状の容器本体１における対向配置した対状の最頂部縁５によって、容器本体１を閉塞する蓋シール部材１０では所定域大きさの平坦面を形成でき、この平坦面が多段的に積み重ねるときの上位の容器本体１を支持する支持部面となり、この考案に係る多数の食品包装容器を安定した状態で重ねさせて陳列販売することができる。
【００１３】
容器本体１における最頂部縁５と最低部縁６との間では、これらを連続させている傾斜部縁７が形成されているから、容器本体１の開口部を閉塞している傾斜部縁７部位においては、容器本体１の側方はもとより、多段的に積み重ねたときの上方から容器本体１内部を視認させる窓部を形成し、例えば不規則形状となっている唐揚げ等の食材Ｆを盛り付けた状態のままを外部から視認でき、その訴求力を一層増大できる。
【００１４】
容器本体１の開口部における最頂部縁５、最低部縁６、傾斜部縁７それぞれは適宜幅員のフランジ状に形成してあるから、ここに蓋シール部材１０が貼着されるとき、その貼着状態を確実にし、ひいては容器本体１内部を外部から一層有効に遮断して密封性を確実にすることができる。そのため、容器本体１内に収納した食材Ｆの保存期間、賞味期限、消費期限を長期に設定でき、販売店舗である例えばコンビニエンスストア等への配送頻度を少なくでき、販売価格の低廉化に寄与することができる。
【００１５】
容器本体１においての最頂部縁５の辺縁から垂れ下がり状に延設した補強片８の下縁を最低部縁６の下縁に連続して形成すると共に、補強片８には複数の補強溝９を適宜間隔で配列形成してあることで、容器本体１の開口部における補強を図ることができ、収納した食材Ｆの荷重により、あるいは積み重ね時の荷重による容器本体１の歪形等を防止することができる。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示す分解斜視図である。
【図２】同じく断面図である。
【図３】同じく陳列時で多段に積み重ねたときの斜視図である。
【考案を実施するための形態】
【００１８】
以下、図面を参照してこの考案を実施するための一形態を説明すると、図において示される符号１は容器本体であり、底壁２と、この底壁２の周囲で立ち上がり状に一体形成され、段部、凹凸条等によって補強されている周囲壁３，４とから、上部が開口されたボックス状に形成されている。この容器本体１には、これの周囲壁３，４の開口縁で、容器本体１の開口縁における最頂部分に設けられた最頂部縁５から、同じく容器本体１の開口縁における最低部分に設けられた最低部縁６に至るまで連続して次第に低く傾斜した傾斜部縁７を形成してある。
【００１９】
図示にあって容器本体１は、平面から見てやや長めのほぼ矩形状を呈し、短辺側の周囲壁３の上縁部を平坦な最頂部縁５とし、長辺側の周囲壁４の上縁部を同じく平坦な最低部縁６とし、短辺側の最頂部縁５の端部には長辺側の最低部縁６の端部に連続するように次第に低くなる傾斜部縁７を形成してある。また、最低部縁６の上面は傾斜部縁７における傾斜角度に対応し、傾斜部縁７の傾斜面がそのまま連続して同一の角度で傾斜して連続している（図２参照）。尚、最頂部縁５と最低部縁６との差は容器本体１の高さにおける１／２〜１／３程度となる例えば２０〜３０ｍｍ程度としてあるもこれに限定されるものではない。図示にあって、最頂部縁５は短辺側の周囲壁３に、最低部縁６は長辺側の周囲壁４にそれぞれ形成されているも、これが逆であっても差し支えない（図示せず）。
【００２０】
また、最頂部縁５、最低部縁６、傾斜部縁７それぞれは、周囲壁３，４の上部縁で容器本体１の外方に張り出し状のフランジ構造として形成されており、その幅員は、これらに貼着される後述の蓋部分となる蓋シール部材１０がしっかりと固定されるに足りる、例えば５ｍｍ程度としてある。
【００２１】
短辺側の周囲壁３に形成される最頂部縁５は、その長さが、蓋シール部材１０によって施蓋された容器本体１を多段的に積み重ねるときの上位に位置する容器本体１の底壁２を支えるに足りる支持面積が確保できる程度に設定されている。例えば最頂部縁５の長さは、底壁２における短辺側の側縁長さに比し小さくはないものとしてあり、また、逆に大きくすることは、積み重ねたときの下位の容器本体１内部の視認を困難にするから、好ましくはない。
【００２２】
図示にあって、短辺側の周囲壁３に形成した最頂部縁５の辺縁から下方に向けて垂れ下がり状にして補強片８を延設してあり、この補強片８には、例えば下方に至るに従い次第に幅広となる複数の補強溝９を適宜間隔で配列形成してある。こうすることで、容器本体１における短辺側を補強でき、容器本体１全体が例えば内部収容物である食材Ｆの荷重等に起因する歪形防止を図ることができる。
【００２３】
また、この補強片８の下縁は、長辺側の周囲壁４に形成した最低部縁６の下縁に連続しており、図示のようにこれらの下縁が同一の高さ位置で連続していることで容器本体１の歪形を一層有効に防止している。
【００２４】
このように形成されている容器本体１の開口部は、容器本体１の開口縁である連続している最頂部縁５、傾斜部縁７、最低部縁６に貼着させる蓋シール部材１０によって閉塞されるものとしてある。この蓋シール部材１０は、所定肉厚例えば０．２５〜０．１ｍｍ程度の肉厚のポリプロピレン、ポリエチレン、ポリエステル等による透明なフィルム材にて形成されており、最頂部縁５、傾斜部縁７、最低部縁６に例えば熱融着、接着剤等によって貼着される。この蓋シール部材１０の容器本体１に対する貼着に際し、容器本体１内に所定の調理済みの各種の食材Ｆ等を収納した状態で蓋シール部材１０となる素材、例えば連続している所定幅員のフィルム材を連続供給しながら、容器本体１の開口縁にあてがい、貼着、切断することで容器本体１を閉塞するのである。
【００２５】
この蓋シール部材１０の容器本体１に対する閉塞は、容器本体１の開口縁を覆うときに開口縁との間に間隙が生じないことが望ましい。すなわち、開口縁自体に凹凸部分が形成されておらず、最頂部縁５、傾斜部縁７、最低部縁６それぞれに被せるときに、最頂部縁５から傾斜部縁７を経て最低部縁６に至るまでのそれぞれにしっくりと当接して密着するものとしてある。蓋シール部材１０によって容器本体１の開口部が閉塞されるとき、最頂部縁５部位では多段的に積み重ねるときの上位の容器本体１の支持面となっており、また傾斜部縁７部位では容器本体１の側方ないし上方から容器本体１内部を視認させる窓部面となっているのである。
【００２６】
尚、蓋シール部材１０による容器本体１の閉塞時に、容器本体１内部に所定の気体例えば窒素ガスを充填供給し、容器本体１内部のガス置換を図ることで、食材Ｆの消費期限・賞味期限・保存期間の長期化を図ることができる。ガス置換に際し、望ましくは内部圧を高くしてやや膨張させておくことで、積み重ね時の上位の容器本体１、食材Ｆ等の荷重をそれが相当なものであっても支持することができる利点がある。
【００２７】
また、最頂部縁５は、容器本体１における開口縁に相互に平行にしてあるいは平行にしないで対向するように適宜な長さに設定されることで対状に配置されていることが望ましく、対状となる最頂部縁５相互間で貼着された蓋シール部材１０によって容器本体１上面に、積み重ね時の上位の容器本体１を支持する支持面を形成できる。傾斜部縁７は、図示のように、容器本体１が平面で矩形状に形成されるときの前後あるいは左右壁に対称的に形成されることなく、いずれか一方であっても良く、一方である場合には容器本体１内部を外部から視認させるのにその方向が限られるに過ぎない。
【００２８】
図示にあっての容器本体１は、平面で矩形状を呈するも、これに限らず例えば円形あるいは三角形その他の多角形を呈するものとしても良く、ただ、容器本体１においての最頂部縁５によって、好ましくは平行状に配置された最頂部縁５によって蓋シール部材１０に平坦面を形成させ、この平坦面が支持面となって他の容器本体１を上位に支持することで多段的に積み重ねができるようにしておく。
【００２９】
次にこれの使用の一例を説明すると、容器本体１内に所定の食材Ｆを収納するのであり、例えば唐揚げを山盛り状にして盛り付け、容器本体１の上方から蓋シール部材１０にて覆い、最頂部縁５、最低部縁６、傾斜部縁７に貼着することで容器本体１を閉塞する。こうすることで、各種の食材Ｆ例えば惣菜、握り飯、弁当その他を封入状態で収納して包装でき、スーパーマーケット、コンビニエンスストアその他の店舗にて販売される。もとより、店舗における調理場で調理され、販売される各種の食材Ｆにも同様に使用できる。
【００３０】
そして店舗等において販売するとき、蓋シール部材１０の最頂部縁５部位による支持面によって上位の容器本体１を順次に載置して多段的に積み重ねても良く、傾斜部縁７部位で覆う蓋シール部材１０による窓部面を経て外部から容器本体１内の食材Ｆを視認できるようにしておく。このように多段的に積み重ねても、窓部面によって容器本体１内部を視認できる。
【符号の説明】
【００３１】
Ｆ…食材
１…容器本体                            ２…底壁
３…周囲壁（短辺側）                    ４…周囲壁（長辺側）
５…最頂部縁                            ６…最低部縁
７…傾斜部縁                            ８…補強片
９…補強溝
１０…蓋シール部材
【図１】
0003171979.tif 000003
【図２】
0003171979.tif 000004
【図３】
0003171979.tif 000005